(57)【特許請求の範囲】
【請求項１】
回転操作される回転部材と非回転部材とを備え、その一方が軸部材であり、他方が前記軸部材の外周側に同軸中心とする断面円形状の内周面を有する魚釣用リールにおいて、
前記軸部材の外周面には、複数の外径が異なる周方向溝が形成されており、
前記複数の周方向溝には、前記断面円形状の内周面と接する弾性部材が着脱可能に配設され、複数の周方向溝の内、少なくとも１箇所以上に弾性部材を配設することで前記回転部材を回転操作する際の節度を調整可能としたことを特徴とする魚釣用リール。
【発明の詳細な説明】
【技術分野】
【０００１】
本発明は、魚釣用リールに関する。
【背景技術】
【０００２】
従来、魚釣用リールには、多数の回転部材が組み込まれており、その回転部材と非回転部材との間に弾性部材を用いることで、回転部材の操作節度感を適切に調整したり、防水性を高めることが知られている。
【０００３】
例えば、特許文献１には、魚釣用電動リールのモータ操作部材の節度感に関する構成が開示されている。通常、魚釣用電動リールにおけるモータ操作部材は、操作の滑らかさと同時に誤作動防止から静止安定性も求められ、適当な節度が必要とされる。また、特許文献２には、両軸リールのハンドル軸に関する防水技術が開示されている。この公知技術のように、回転部材の防水性を高めるためには、Ｏリングを使用する方法とパッキンを使用する方法が知られている。
【先行技術文献】
【特許文献】
【０００４】
【特許文献１】特開２００７−２２８８５９号
【特許文献２】特開２００２−０５８４０１号
【発明の概要】
【発明が解決しようとする課題】
【０００５】
上記した特許文献１に開示された構成において、使用者が回転部材の節度を調整したい場合、弾性部材を別のサイズのものに変更する必要がある。すなわち、節度の大きさは任意であることから、弾性部材を多種、準備する必要がある。また、上記した特許文献２に開示された構成において、防水性を調整したい場合、節度と同様、弾性部材（Ｏリングやパッキン）を多種、準備する必要がある。
【０００６】
さらに、上記した部位に配設される弾性部材は、長期の使用によって摩耗して行くと、節度感が軽くなったり、防水性が低下する、といった問題がある。従来の構成では、そのような問題が生じるたびに新しい弾性部材に交換する必要があり、経済性の面で劣ると共に、部材購入期間は使用できなくなる、といった問題がある。
【０００７】
本発明は、上記した問題に着目してなされたものであり、異なるサイズの弾性部材を準備することなく、回転部材の節度感、或いは防水性の調整が行える魚釣用リールを提供することを目的とする。
【課題を解決するための手段】
【０００８】
上記した目的を達成するために、本発明に係る魚釣用リールは、回転操作される回転部材と非回転部材とを備え、その一方が軸部材であり、他方が前記軸部材の外周側に同軸中心とする断面円形状の内周面を有しており、前記軸部材の外周面には、複数の外径が異なる周方向溝が形成されており、前記複数の周方向溝には、前記断面円形状の内周面と接する弾性部材が着脱可能に配設され、複数の周方向溝の内、少なくとも１箇所以上に弾性部材を配設することで前記回転部材を回転操作する際の節度を調整可能としたことを特徴とする。
【０００９】
上記した構成の魚釣用リールでは、軸部材の外周面に形成されている複数の外径が異なる円周溝のいずれかに、弾性部材を配設することで、回転部材の回転に制動を付与して節度感を持たせたり、或いは、両者の間で防水することが可能となる。このような構成において、弾性部材の配設位置を、異なる外径の円周溝に変えることで、内周面に対する接触力（摩擦力）が変化し、単一の弾性部材でありながら、回転部材の節度、或いは防水性を容易に変更することが可能となる。また、上記した弾性部材は、長期間使用することで摩耗して行くと、節度感が軽くなったり防水性が低下することもあるが、そのような場合、弾性部材の配設位置を、外径が大きい円周溝部分に変えることで、同様な節度感、或いは同様な防水性に維持することが可能となる。
【発明の効果】
【００１０】
本発明の魚釣用リールによれば、異なるサイズの弾性部材を準備することなく、回転部材の節度感、或いは防水性の調整が行える魚釣用リールが得られる。
【図面の簡単な説明】
【００１１】
【図１】本発明の第１の実施形態に係る魚釣用リール（電動リール）の平面図。
【図２】（ａ）は、図１に示した電動リールの制御ケース部分を示す平面図、（ｂ）は、制御ケース部分を裏側から見た図。
【図３】図１のＡ−Ａ線に沿った断面図。
【図４】図３に示す構成において、モータ操作部材の節度を緩く設定した状態を示す断面図。
【図５】モータ操作部材の節度を、図４に示す状態よりもきつく設定した状態を示す断面図。
【図６】モータ操作部材の節度を、図５に示す状態よりもきつく設定した状態を示す断面図。
【図７】モータ操作部材の節度を、図６に示す状態よりもきつく設定した状態を示す断面図。
【図８】図３に示す構成において、摩耗したＯリングの使用例を説明する断面図。
【図９】本発明の第２の実施形態に係る魚釣用リール（電動リール）の平面図。
【図１０】図９のＢ−Ｂ線に沿った要部拡大断面図。
【図１１】図１０の要部拡大図。
【図１２】本発明の第３の実施形態に係る魚釣用リール（両軸受け型リール）の平面図。
【図１３】図１２に示した魚釣用リールのハンドル軸部分の拡大図。
【図１４】（ａ）は、ゴムパッキンの初期設定状態を示す図、（ｂ）は、防水性を高めたゴムパッキンの設定状態を示す図。
【図１５】（ａ）は、摩耗した状態のゴムパッキンを説明する図、（ｂ）は、摩耗したゴムパッキンを再利用した状態を示す図。
【図１６】（ａ）は、周方向溝の変形例を説明する図、（ｂ）は、周方向溝の別の変形例を説明する図、（ｃ）は、周方向溝のさらに別の変形例を説明する図。
【発明を実施するための形態】
【００１２】
以下、図面を参照しながら、本発明に係る魚釣用リールの実施形態について説明する。
図１から図３は本発明の第１の実施形態を示す図であり、図１は平面図、図２（ａ）は図１に示した電動リールの制御ケース部分を示す平面図、図２（ｂ）は制御ケース部分を裏側から見た図、そして、図３は図１のＡ−Ａ線に沿った断面図である。
【００１３】
本実施形態に係る魚釣用リール１は、電動リールとして構成されており、左右のフレーム３ａ，３ｂに左右カバー４ａ，４ｂを取着して構成される左右側板５Ａ，５Ｂを具備したリール本体５を有している。前記リール本体５を構成する一方の側板（右側板５Ｂ）側には、巻取り操作される手動ハンドル６が設けられており、左右側板５Ａ，５Ｂ間には、釣糸が巻回されるスプール７がスプール軸を中心に回転可能に支持されている。また、本実施形態では、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。
【００１４】
前記動力伝達機構１０については、駆動モータ８の回転駆動力を減速してスプール７側に伝達する機能、駆動モータ８が回転駆動しても手動ハンドル６を連れ回しさせない機能や手動ハンドル６の逆回転を防止する機能などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図において、符号１２は、ハンドル６に結合されたハンドル軸、符号１３は、ハンドル軸１２に回転可能に支持されたドライブギヤ、符号１４は、ドライブギヤ１３に噛合するピニオンであり、これらは前述した動力伝達機構１０を構成する。また、図中、符号１５は、魚釣時にスプール７から釣糸が繰り出された際にスプール７の回転にドラグ力を付与する公知のドラグ機構であり、リール本体５とハンドル６との間には、ドラグ機構１５によるドラグ力の調整を行なうための星型のドラグ調整ノブ（スタードラグ）１６が設けられている。
【００１５】
また、リール本体５内には、前記ピニオン１４を軸方向に移動させてスプール７を釣糸巻き取り状態／フリー回転状態に切り換える公知のクラッチ機構１７が配設されている。このクラッチ機構１７は、動力伝達機構１０に介在されて手動ハンドル６および駆動モータ８からの動力伝達を継脱する機能を備えており、本実施形態では、右側板５Ｂ側に設置されている。
【００１６】
前記クラッチ機構１７は、スプール７をサミングしながら操作が可能となる位置、具体的には、スプール７の後方側の左右側板５Ａ，５Ｂ間に橋設されたクラッチＯＦＦ切換部材１８を備えており、その表面に親指を載置して下方に押し下げ操作することで、クラッチ機構１７をＯＮ状態からＯＦＦ状態に切り換える（スプールを釣糸巻き取り状態からフリー回転状態に切り換える）よう構成されている。また、クラッチ機構１７は、スプール７をサミングしている指（親指）が届く位置、具体的には、スプール７の後方側の右側板表面に揺動可能に支持されたクラッチＯＮ切換部材１９を備えており、その表面に親指を載置して下方に押し下げ操作することで、クラッチ機構１７をＯＦＦ状態からＯＮ状態に切り換える（スプールをフリー回転状態から釣糸巻き取り状態に切り換える）よう構成されている。
【００１７】
前記リール本体５には、駆動モータ８に対して電力を供給するための給電部２０が設けられている。この給電部２０は、左側板５Ａの前方側の下面領域に形成されており、この給電部２０に対しては、着脱可能な携帯バッテリ（図示せず）を装着したり、或いは、足元に置いたバッテリや釣り船に設置されている電源部から電力供給される給電コードが装着される。
【００１８】
前記左右側板５Ａ，５Ｂ間のスプール７の上方には、駆動モータ８を制御する制御部を収容した箱型の制御ケース２１が配設されている。この制御ケース２１の後方部分には、駆動モータ８の出力を調整するモータ出力操作部材（以下、操作部材と称する）３０が配置されている。本実施形態の操作部材３０は、スプール７（スプール軸）の上方で制御ケース２１の中央部分（左右側板５Ａ，５Ｂの間の中心領域）に設置されている。具体的には、制御ケース２１の後方側には、その中央領域に、制御ケース２１の後端縁２１ａから前方側に向かって延び、制御ケース２１の後端で開口した凹陥部（開放部）２１Ａが形成されており、この凹陥部２１Ａを横切るようにして前記操作部材３０が回転可能に支持されている（操作部材は回転部材を構成する）。
【００１９】
前記操作部材３０は、図３に示すように、中空円筒状に形成されており、前記制御ケース２１の凹陥部２１Ａの両サイドにそれぞれ固定される取付部材３３，３４を介して回転可能に支持されている。前記取付部材３３は、基部３３ａと円柱状の軸部３３ｂを備えた軸部材として構成されており、基部３３ａが制御ケース２１に対して固定されることで、非回転状態となっている（非回転部材を構成する）。また、取付部材３４は、角度センサ４０を保持した状態で制御ケース２１に対して固定されており、角度センサ４０の軸部４０ａが操作部材３０と共に回転駆動され、その操作角度を検知するようになっている。
【００２０】
具体的には、前記操作部材３０の内部には、区画壁３０ａが形成されており、左側の円形開口３０ｂ側から前記取付部材３３の軸部３３ｂが挿入され、操作部材３０の断面円形状の内周面３０ｅが軸部３３ｂの軸心と同軸となるように配置されている。この場合、軸部３３ｂの外周面３３ｄと内周面３０ｅとの間は、後述する弾性部材を介して一定の隙間が維持されている。一方、右側の円形開口３０ｃ側からは、角度センサ４０の円柱基部（軸受部）４０ｂがカラー３７を介して圧入され、円柱基部４０ｂの中心に突出する軸部４０ａが区画壁３０ａを貫いてナット３８で固定されている。これにより、操作部材３０は、非回転となる軸部３３ｂの回りに回転可能に支持されると共に、その回転操作量については、一体回転する軸部４０ａを介して前記角度センサ４０によって検出され、駆動モータ８の出力は、操作部材３０の操作位置に応じて調整することが可能となっている。なお、軸部３３ｂは、中実状に限ることなく、円筒状としても良い。
【００２１】
なお、本実施形態では、操作部材３０に釣糸が接触しないように、操作部材３０の下方側にカバー部材３９が配されており、前記取付部材３３，３４は、カバー部材３９を含めてネジ等で制御ケース１５に固定されている。
【００２２】
また、前記制御ケース２１の表面には、繰り出された釣糸の長さ（糸長情報）などを表示する表示部（液晶表示部）２２が設けられており、また、その周囲には、各種の情報が設定可能な複数の操作ボタン２３ａ，２３ｂが配設されている。なお、本実施形態において、操作ボタン２３ａ，２３ｂは、図１に示されるように、制御ケース２１の上面において、表示部２２と操作部材３０との間で、且つ釣竿とともにリール本体５を把持保持した状態で親指が届く位置とされている。
【００２３】
上記したように構成される操作部材３０は、下側から回転操作（スプールをサミングしたまま親指を伸ばして押し上げるような回転操作）することが可能であり、かつ、上方からリール本体を押さえ付けた状態でも回転操作することが可能となっている。この場合、操作部材３０の回転節度は、軸部３３ｂの外周面と、操作部材３０の内周面３０ｅとの間に介在される弾性部材５０の摩擦力によって特定されるが、以下のような構造によって、その回転節度は調整可能に構成されている。
【００２４】
前記軸部３３ｂの外周面３３ｄには、複数の周方向溝３３ｅ，３３ｆ，３３ｇが形成されている。これらの周方向溝は、軸方向に沿って隣接して形成されており、各周方向溝の外径は異なるように形成されている。具体的には、端部側の周方向溝３３ｅの外径＜中央の周方向溝３３ｆの外径＜基端側の周方向溝３３ｇの外径となるように形成されており、端部側の周方向溝が深くなるように形成されている。また、周方向溝３３ｅ，３３ｆ，３３ｇは、操作領域（本実施形態では、膨出して指が当接する領域）Ｗの範囲内に形成されていることが好ましく、これにより、操作部材３０の操作性の安定化を図ることが可能となる。
【００２５】
そして、これらの周方向溝の少なくとも１箇所には、操作部材３０の内周面３０ｅと接する弾性部材５０が配設されている。この弾性部材５０は、Ｏリングとして構成されており、弾性変形可能なように、加硫ゴムや熱可塑性エラストマー等によって形成され、前記外径が異なるいずれかの周方向溝に配設することで、操作部材３０の内周面３０ｅに対する圧接力が変わり、操作部材３０を回転操作する際の節度を変更（調整）することが可能となっている。
【００２６】
すなわち、図４に示すように、弾性部材５０を、外径が小さい（溝が深い）周方向溝３３ｅに配設することで、操作部材３０の節度を弱める（回転抵抗を軽くする）ことができ、図５に示すように、それよりも外径が大きい（溝が浅い）周方向溝３３ｆに配設することで、操作部材３０の節度を強く（回転抵抗を重くする）ことが可能となる。さらに、図６に示すように、弾性部材５０を、それよりも外径が大きい（溝が浅い）周方向溝３３ｇに配設することで、操作部材３０の節度をより強く（回転抵抗をより重くする）ことが可能となる。このように、単に、弾性部材５０の配設位置を変えるだけで、使用者の好みに応じて、操作部材５０の節度を容易に調整することが可能となる。なお、図７に示すように、周方向溝の内、複数個所に弾性部材５０を配設することで、より節度を高めることも可能となる。
【００２７】
また、上記したような節度を調整する以外にも、長期の使用によって弾性部材５０が摩耗しても、節度感を一定に保つことができる、という作用効果も得られる。  
例えば、図８に示すように、最初、外径が小さい周方向溝３３ｅに弾性部材５０を配設していたところ、長期の使用によって、その表面が摩耗しても、その摩耗した弾性部材５０ａを、それよりも外径が大きい周方向溝３３ｆ，３３ｇに位置変更することで、節度感が復活するようになる（防水性も復活する）。
【００２８】
次に、本発明に係る魚釣用リールの別の実施形態について説明する。  
なお、以下の実施形態では、特徴的な部分について説明し、上記した実施形態と同様な構成部材については、同一の参照符号を付し、詳細な説明については省略する。
【００２９】
図９から図１１は、本発明の第２の実施形態に係る魚釣用リール（電動リール）を示ししており、図９は平面図、図１０は図９のＢ−Ｂ線に沿った要部拡大断面図、そして、図１１は図１０の要部拡大図である。  
本実施形態では、操作部材６０を右側板５Ｂの前方側に回動可能に配設しており、操作部材６０を前後方向に回動操作することで、駆動モータ８の回転が調整できるよう構成されている。
【００３０】
前記操作部材６０は、円筒基部６１と、指によって操作されるレバー部６２とを備えており、円筒基部６１は、リール本体側に向けて突出する断面円形状の内周面６１ｅを有している。また、リール本体の右側板側には、操作部材６０の回動量を検知するポテンショメータ７０を収容したメータケース６３が配設されており、メータケース６３は、その開口端に形成された雄ネジ部６３ａに螺合される外蓋６５によって閉塞されている。前記ポテンショメータ７０は、その軸受部７０ａが外蓋６５を貫通し、その貫通した部分に形成された雄ネジ部７０ｂに固定ナット７２を螺合することでメータケース６３内に保持されている。また、ポテンショメータ７０の回転軸７０ｃは、軸受部７０ａの先端から突出しており、回転軸７０ｃに形成された雄ネジ部７０ｄに固定ナット７５を螺合することで、操作部材６０の円筒基部６１の部分を一体的に固定している。すなわち、操作部材６０を回動操作することで、ポテンショメータ７０の回転軸７０ｃも一体的に回転され、その操作量がポテンショメータ７０によって検知されるようになっている。
【００３１】
前記操作部材６０の円筒基部６１は、固定部材である前記外蓋６５の円筒部６５ａと同軸中心で回転する部材となっており、円筒基部６１の内周面６１ｅと前記外蓋６５の円筒部６５ａとの間に介在された弾性部材５０によって、節度をもって回転可能に支持されている。この場合、操作部材６０（円筒基部６１）の回転節度は、上記した実施形態と同様、調整可能に構成されている。すなわち、円筒部６５ａの外周面６５ｄには、複数の周方向溝６５ｅ，６５ｆが隣接して形成されており、各周方向溝の外径は異なるように形成されている。具体的には、端部側の周方向溝６５ｅの外径＜基部側の周方向溝６５ｆの外径となるように形成されており、端部側の周方向溝が深くなるように形成されている。
【００３２】
このような構成においても、弾性部材５０の配設位置を変えることで、操作部材６０の回転節度を調整することができ、上記した実施形態と同様な作用効果を得ることが可能となる。
【００３３】
図１２から図１５は、本発明の第３の実施形態に係る魚釣用リール（両軸受け型リール）を示しており、図１２は平面図、図１３は図１２に示した魚釣用リールのハンドル軸部分の拡大図、図１４（ａ）はゴムパッキンの初期設定状態を示す図、図１４（ｂ）は防水性を高めたゴムパッキンの設定状態を示す図、そして、図１５（ａ）は摩耗した状態のゴムパッキンを説明する図、図１５（ｂ）は摩耗したゴムパッキンを再利用した状態を示す図である。
【００３４】
本実施形態では、リール本体８０の左右側板８１Ａ，８１Ｂ間に回転可能に支持されるスプール８３を巻き取り操作するハンドル８５の回転軸（ハンドル軸）８６の部分に、上述した実施形態のような構造を採用している。すなわち、リール本体８０とハンドル軸８６との間には、公知のように、ハンドルの逆回転を防止する一方向クラッチ９０が配設されており、ハンドル軸８６は、一方向クラッチ９０の内輪９１に対して一体回転可能となるように挿通されている。前記内輪９１の軸方向突出部９１ａの外周面９１ｂには、リール本体の右側板８１Ｂを構成するカバー（非回転部材を構成する）８１ａの内周面８１ｂとの間で、防水性を高めるようにゴムパッキン（弾性部材）５０Ａが介在されている。
【００３５】
この場合、内輪９１は、ハンドル軸８６と共に一体回転することから、ゴムパッキン５０Ａの内周面８１ｂに対する圧接力を高めると防水性が向上する反面、ハンドル軸８６に対する摩擦抵抗力が高まり回転が重くなってしまう。一方、ゴムパッキン５０Ａの内周面８１ｂに対する圧接力を弱めると防水性が低下する反面、ハンドル軸８６に対する摩擦抵抗力が弱まり滑らかな回転が得られるようになる。
【００３６】
本実施形態では、前記内輪９１の外周面９１ｂには、上述した実施形態と同様、複数の周方向溝９１ｅ，９１ｆが隣接して形成されており、各周方向溝の外径は異なるように形成されている。具体的には、ハンドル側の周方向溝９１ｅの外径＜一方向クラッチ側の周方向溝９１ｆの外径となるように形成されており、ハンドル側の周方向溝が深くなるように形成されている。
【００３７】
これにより、図１４（ａ）に示すように、ゴムパッキン５０Ａを周方向溝９１ｅに配設することで、内周面８１ｂに対する圧接力が弱くなって、ハンドル軸８６の滑らかな回転特性が得られるようになる。一方、図１４（ｂ）に示すように、ゴムパッキン５０Ａを周方向溝９１ｆに配設することで、その先端は、内周面８１ｂに対して強く圧接して一方向クラッチ側に倒れる割合が強くなり、防水性を高めることが可能となる。すなわち、使用者の好みによって、防水性能を高めるか、ハンドル軸の回転の滑らかさを向上するかを選択することが可能となる。
【００３８】
また、図１５（ａ）に示すように、上記したゴムパッキン５０Ａは、長期に亘って使用すると摩耗するようになる（左側が初期状態のゴムパッキン５０Ａを示し、右側が長さＬだけ摩耗した状態のゴムパッキン５０Ａ´を示す）。このため、最初にゴムパッキン５０Ａを周方向溝９１ｅに配設しておき、長期の使用によってゴムパッキンが摩耗しても、図１５（ｂ）に示すように、周方向溝９１ｆに配設することで、同様な性能（防水性）を維持することが可能となり、長期に亘って使用することが可能となる。
【００３９】
なお、本実施形態では、ハンドル軸８６の外周面８６ａにも、複数の外径が異なる周方向溝８６ｅ，８６ｆを形成しており、いずれかに弾性部材（Ｏリング）５０が配設できるように構成されている（図１３では、外径が小さい周方向溝８６ｆに弾性部材５０を配設している）。このように構成することで、リール本体内部に対する防水特性を変えることも可能である。
【００４０】
以上、本発明の実施形態について説明したが、本発明は、上記した実施形態に限定されることはなく、スピニングリールを初め、各種形式の魚釣用リールに適用することが可能である。上記した弾性部材は、各種の魚釣用リールにおいて、常に回転がなされて摩耗が激しい部分（防水性が低下し易い部分）、或いは、回転操作した際の節度感が考慮される部分に適用することが可能である。すなわち、上記した実施形態以外に、例えば、スピニングリールにおけるロータと本体との間、ドラグノブとスプールとの間、スプール軸とロータ（ピニオンギヤ）との間に介在される弾性部材に適用することが可能である。また、両軸受け型リールのスプール制動調整機構のメカニカルノブの部分、各種リールのハンドルアームとハンドルノブとの間に適用することも可能である。
【００４１】
また、上述した周方向溝については、単に、軸部に断面長方形の溝を形成する例に限らず、その形状については、例えば、図１６（ｂ），図１６（ｃ）に示すように、断面三角形状や円弧状に形成したものであっても良い。また、軸部の外周面に溝を形成する以外にも、例えば、図１６（ａ）〜（ｃ）に示すように、軸部１００の軸長方向に、近接する２つの周方向突部１０１を設けることで、その間を溝状（その形状は、長方形形状、三角形状、円弧形状等、特に限定されることはない）にしたものであっても良い。すなわち、配設される弾性部材５０の軸方向への移動を規制し、その弾性部材が、軸部の外表面よりも外周方向に突出していれば良い。
【符号の説明】
【００４２】
１  魚釣用リール
３０  操作部材（回転部材）
３３  取付部材
３３ｂ  軸部（非回転部材）
３３ｅ，３３ｆ，３３ｇ  周方向溝
５０  弾性部材（Ｏリング）
５０Ａ  弾性部材（パッキン）
６１  円筒基部（回転部材）
６５ａ  円筒部（非回転部材）
６５ｆ，６５ｅ  周方向溝
８１ａ  カバー（非回転部材）
９０  一方向クラッチ
９１  内輪（回転部材）
９１ｅ，９１ｆ  周方向溝
【図１】
0005885056.tif 000002
【図２】
0005885056.tif 000003
【図３】
0005885056.tif 000004
【図４】
0005885056.tif 000005
【図５】
0005885056.tif 000006
【図６】
0005885056.tif 000007
【図７】
0005885056.tif 000008
【図８】
0005885056.tif 000009
【図９】
0005885056.tif 000010
【図１０】
0005885056.tif 000011
【図１１】
0005885056.tif 000012
【図１２】
0005885056.tif 000013
【図１３】
0005885056.tif 000014
【図１４】
0005885056.tif 000015
【図１５】
0005885056.tif 000016
【図１６】
0005885056.tif 000017